(57)【要約】【課題】重ね着なしで、授乳が可能であるにも拘らず、衣服として通常のファッション性のあるお洒落なデザインの授乳機能を備えた衣服の提供。【解決手段】授乳時に授乳状態を隠すことが可能な授乳機能を備えた衣服である。裾広がり部１１を有する前身頃１０と、裾広がり部２１を有する後見頃２０と、前身頃１０の上部と後見頃２０の上部との間で形成された襟部３０と、前身頃１０と後見頃２０の各裾広がり部１１，２１側の端部側に形成された結び部４０と、を有する。裾広がり部１１のバスト部Ｃは肩幅の２倍以上で形成され、前身頃１０と後見頃２０の下部側の側方に形成された第１連結部１４と、この第１連結部１４と連結される第２連結部２４が設けられている。【選択図】図１
2015190072.tif 000002
【特許請求の範囲】
【請求項１】
授乳時に授乳状態を隠すことが可能な授乳機能を備えた衣服であって、
肩幅より広い裾広がり部を有する前身頃と、
肩幅より広い裾広がり部を有する後見頃と、
前記前身頃の上部と前記後見頃の上部との間で形成された襟部と、
前記前身頃と前記後見頃の各裾広がり部側の端部側にそれぞれ形成された結ぶことが可能な結び部と、を有し、
前記裾広がり部のバスト部は前記肩幅の２倍以上で形成され、
前記前身頃と前記後見頃のいずれか一方の下部側の側方に形成された第１連結部と、前記前身頃と前記後見頃のいずれか他方の下部側の側方には前記第１連結部と連結される第２連結部が設けられていることを特徴とする授乳機能を備えた衣服。
【請求項２】
前記前身頃側の襟部の内側には、第１襟連結部が形成され、該第１襟連結部と連結する第２襟連結部を有する形状保持部材が着脱可能と、されてなることを特徴とする請求項１記載の授乳機能を備えた衣服。
【請求項３】
前記第１襟連結部は、複数の隠し連結部が形成され、前記第２襟連結部は前記複数の隠し連結部と連結するものであることを特徴とする請求項２記載の授乳機能を備えた衣服。
【請求項４】
前記前身頃の上部と着用時に着用者の二の腕の間と前記後見頃の上部と着用時に着用者の二の腕の間で縫合又は接合された接続部と、該接続部から前記前身頃と前記後見頃の少なくとも前記各裾広がり部側の端部までは縫合又は接合されない非接続部と、が形成されていることを特徴とする請求項１又は２記載の授乳機能を備えた衣服。
【請求項５】
前記非接続部と前記結び部との間に、着用時の着用者の腕を通すことのできる腕通し部が形成されることを特徴とする請求項４記載の授乳機能を備えた衣服。
【請求項６】
前記形状保持部材は、可撓した状態を保持可能な帯状部材からなることを特徴とする請求項２又は３記載の授乳機能を備えた衣服。
【請求項７】
前記帯状部材は、前記襟部の開口の内側距離の少なくとも１／３以上の長さを有することを特徴とする請求項６記載の授乳機能を備えた衣服。
【発明の詳細な説明】
【技術分野】
【０００１】
本発明は授乳機能を備えた衣服に係り、特に通常時にはファッション性に富んだ衣服として使用でき、授乳時には授乳状態を隠すようにできる授乳機能を備えた衣服に関する。
【背景技術】
【０００２】
従来から衣服として着用した状態で乳児に授乳できる授乳服は知られている。しかし、従来の衣服では、肌が多く露出するため他人の目に触れやすく、一般に他人の眼前で授乳を行なうのは難しく、また衣服を開口させて授乳する場合には、着用する女性の個人差により開口の位置と乳房の位置がうまく合致しないなど、授乳を行うのに不便であった。
【０００３】
このような問題を解決するために、各種の提案がなされている。例えば特許文献１の技術では、授乳時に窮屈さ等の不快感を感じさせることなく、着用者の乳房の大きさ等に制限が無い授乳服が開示されている。
【０００４】
特許文献２の技術では、上側前身頃と下側前身頃とを重ね合わせ、上側前身頃と下側前身頃とによって左右の乳房を覆うように構成し、左右それぞれの見頃の相反する片脇を後見頃から分離させることにより、これらの重なりを利用して、容易に開くことができる開口部を設け、布の重なりを利用して肌を隠し、人前や公共の場所での授乳が容易となると共に、個人差に対応することが可能な衣服が開示されている。
【０００５】
特許文献３の技術では、右後身頃と左後身頃とをその上端で前後に重ね合わせた重なり部を形成しており、前身頃の胸元を覆った状態で前後方向及び／又は左右方向の身頃幅を調節可能な授乳服が開示されている。
【先行技術文献】
【特許文献】
【０００６】
【特許文献１】特許第５１９７４０１号公報
【特許文献２】特許第４１９９８７７号公報
【特許文献３】特許第４７１３６８３号公報
【発明の概要】
【発明が解決しようとする課題】
【０００７】
しかし、上記特許文献１，２では、衣服から乳房や乳首を外部に露出させるものであり、人前や公共の場所での授乳に抵抗がある構成となっている。
また特許文献２，３では重なり部を設けており、ファッション性に制限があり、通常着用時において、授乳服という制限を克服できていないものである。特に、特許文献３では、前後を変更して着用可能な構成であり、身頃幅を調節することで、授乳服内部に授乳に十分な空間を設ける構成となっているため、いかにも授乳服という制約の中での衣服であり、外観デザイン性に欠けるものであり、衣服のファッション性よりも、授乳服という点に重みを置いている。
【０００８】
そこで、重ね着などが不要で、衣服から乳房や乳首を露出させず、授乳状態を隠すことができ、人前や公共の場所での授乳に抵抗がないだけでなく、授乳が可能であるにも拘らず、衣服としても通常の衣服と同様にファッション性に富んだ授乳機能を備えた衣服が望まれている。
【０００９】
本発明の目的は、重ね着なしで、授乳が可能であるにも拘らず、衣服として通常のファッション性のあるお洒落なデザインとすることができる授乳機能を備えた衣服を提供することにある。
本発明の他の目的は、通常の着用状態から簡単に授乳時の状態に変えることができ、衣服から乳房や乳首を露出させず、授乳状態を隠すことができ、人前や公共の場所での授乳を行うことができる授乳機能を備えた衣服を提供することにある。
【課題を解決するための手段】
【００１０】
前記課題は、請求項１の授乳機能を備えた衣服によれば、授乳時に授乳状態を隠すことが可能な授乳機能を備えた衣服であって、裾広がり部を有する前身頃と、裾広がり部を有する後見頃と、前記前身頃の上部と前記後見頃の上部との間で形成された襟部と、前記前身頃と前記後見頃の各裾広がり部側の端部側にそれぞれ形成された結ぶことが可能な結び部と、を有し、前記裾広がり部のバスト部は前記肩幅の２倍以上で形成され、前記前身頃と前記後見頃のいずれか一方の下部側の側方に形成された第１連結部と、前記前身頃と前記後見頃のいずれか他方の下部側の側方には前記第１連結部と連結される第２連結部が設けられていること、により解決される。
【００１１】
本発明では、前身頃と後見頃の各裾広がり部側の端部側には結び部が形成されており、これにより着用者の腕が、結び部とそれより上方位置との間から出すことができ、前身頃と後見頃のいずれか一方の下部側の側方に形成された第１連結部と、前身頃と後見頃のいずれか他方の下部側の側方には第１連結部と連結される第２連結部が設けられているので、裾広がり部のバスト部が肩幅の２倍以上で形成されているにも拘わらず、これら第１連結部と第２連結部によって、胴の両側を規制することで、ファッション性に富んだ、通常の衣服と何ら変わらないデザインとすることが可能で、衣服として通常のファッション性のあるお洒落なデザインとすることができる。
【００１２】
また、前身頃と後見頃の下部側の側方に形成された第１連結部と第２連結部を解き、結び部を解くことによって、衣服の側方及び下方が解放されて裾広がり部のバスト部が肩幅の２倍以上で形成されているので、ゆったりとした空間を確保できると共に、衣服から乳房や乳首を露出させず、より授乳時において窮屈ではない状態を形成できる。このため衣服で隠され外部に肌が露出せず、授乳状態を隠すことができ、人前や公共の場所での授乳を行うことが可能となる。
【００１３】
また、請求項２のように、前身頃側の襟部の内側には、第１襟連結部が形成され、該第１襟連結部と連結する第２襟連結部を有する形状保持部材が着脱可能となっているために、形状保持部材を襟部に取り付けることによって、襟部分がだれることなく大きく開口させて形状を保持でき、裾広がり部のバスト部が肩幅の２倍以上の空間を確保して、乳児を衣服の中に入れても窮屈ではなく、授乳状態を隠すことができ、人前や公共の場所での授乳を行うことが可能となる。
このとき、第１襟連結部は、複数の隠し連結部が形成され、第２襟連結部は複数の隠し連結部と連結するように構成すると、よりファッション性に富んだデザインとすることが可能となる。
【００１４】
さらに、請求項４のように、前記前身頃の上部と着用時に着用者の二の腕の間と前記後見頃の上部と着用時に着用者の二の腕の間で縫合又は接合された接続部と、該接続部から前記前身頃と前記後見頃の少なくとも前記各裾広がり部側の端部までは縫合又は接合されない非接続部と、が形成されている、ように構成する。
このような接続部と非接続部とが形成されることにより、通常の着用時には、裾広がり部のバスト部が肩幅の２倍以上であるにも拘わらず、接続部で肩のラインを綺麗に出すことができ、デザイン性に優れたものとなる。
【００１５】
このとき、請求項５のように、前記非接続部と前記結び部との間に、着用時の着用者の腕を通すことのできる腕通し部が形成されると好適であり、非接続部の端部側を結び部とすることにより、接続部と非接続部（結び部）との間から腕を出すことができ、裾広がり部のバスト部が肩幅の２倍以上であるにも拘わらず、結び部をデザインとして、愛らしいデザインとすることが可能となる。
【００１６】
また前記形状保持部材は、可撓した状態を保持可能な帯状部材からなるように構成すると好適である。このように、形状保持部材は、可撓した状態を保持可能な帯状部材からなるので、襟部に取着することで、襟部の形状を保持できる。このため、襟部からの開口を十分確保することが可能であると共に、可撓状態を調整することで、上方からの露見も防ぐことが可能となる。
【００１７】
前記帯状部材は、前記襟部の開口の内側距離の少なくとも１／３以上の長さを有するように構成すると好適である。このように構成することで、前身頃側の襟部の形状を状況に応じて変えることが可能となる。
【発明の効果】
【００１８】
本発明の授乳機能を備えた衣服によれば、重ね着などが不要で、裾広がり部のバスト部が肩幅の２倍以上になって、授乳が可能であるにも拘わらず、ファッション性に富んだ、通常の衣服と何ら変わらないデザインとすることが可能で、衣服として通常のファッション性のあるお洒落なデザインとすることができる。また、重ね着をしなくても、衣服で隠され外部に肌が露出せず、授乳状態を隠すことができ、人前や公共の場所での授乳を行うことが可能となる。
【００１９】
また襟部分がだれることなく大きく開口させて形状を保持でき、乳児を衣服の中に入れても窮屈とならない。そして、接続部と非接続部とが形成されることにより、通常の着用時には、裾広がり部のバスト部が肩幅の２倍以上であるにも拘わらず、接続部で肩のラインを綺麗に出すことができ、デザイン性に優れたものとなる。
【００２０】
さらに、接続部と非接続部（結び部）との間から腕を出すことができ、裾広がり部のバスト部が肩幅の２倍以上にも拘わらず、結び部をデザインとして、愛らしいデザインとすることが可能となる。そして、襟部は形状保持部材により襟部からの開口を十分確保することが可能であると共に、可撓状態を調整することで、上方からの露見も防ぐことが可能となる。
【図面の簡単な説明】
【００２１】
【図１】授乳機能を有する衣服の正面図である。
【図２】形状保持部材の正面図である。
【図３】図１を裏返した正面図である。
【図４】（ａ）〜（ｄ）は通常の使用状態とするための手順の一例を示す説明図である。
【図５】通常の使用状態の正面図である。
【図６】授乳機能を有する衣服を被着した状態の説明図である。
【図７】被着した状態で授乳時の使用とするための状態を示す説明図である。
【図８】被着した状態で授乳時の使用とするための状態を示す説明図である。
【図９】被着しないで襟部に形状保持部材を取付ける状態の説明図である。
【図１０】授乳状態の説明図である。
【図１１】乳児を衣服で覆った状態の説明図である。
【発明を実施するための形態】
【００２２】
以下、本発明の一実施形態を図面に基づいて説明する。なお、以下に説明する部材，配置等は本発明を限定するものでなく、本発明の趣旨の範囲内で種々改変することができるものである。
【００２３】
図は本発明の実施形態を示すものであり、図１は授乳機能を有する衣服を平面上に広げた状態の正面図、図２は形状保持部材に連結部材を取付けた状態の正面図、図３は図１を裏返した状態で、縫合ラインが示された正面図、図４は通常の使用状態とするための手順の一例を示す説明図であり（ａ）は結び部となる非接合部を開いた状態、（ｂ）は結び部で結んだ状態、（ｃ）は前身頃と後見頃の下部側の側方に形成された連結部材と連結部を連結するときの状態、（ｄ）は（ｂ）及び（ｃ）を行った状態の説明図、図５は通常の使用状態となる授乳機能を備えた衣服の正面図、図６は通常の授乳機能を有する衣服を被着した状態の説明図、図７は被着した状態で授乳時の使用とするための状態を示す説明図、図８は被着した状態で授乳時の使用とするための状態を示す説明図、図９は被着しないで襟部に形状保持部材を取付ける状態の説明図、図１０は授乳状態の説明図、図１１は乳児を衣服で覆った状態の説明図である。
【００２４】
本発明に係る授乳機能を備えた衣服１は、授乳時に授乳状態を隠すことが可能な授乳機能を備えたものである。本実施形態は、通常着用時にはトップスとなり、乳児が引っ張っても、ずれたり外れることの無い、かぶるタイプのケープを例にして説明する。本実施形態の衣服１は、布地などの縫合が可能な材料から構成されており、図１〜図３で示すように、前身頃１０と、後見頃２０と、襟部３０と、結び部４０と、形状保持部材５０と、を主たる構成要素としている。なお、衣服１の材料は布地などに限定されず、合成樹脂からなる糸を用いたものや、不織布など、ファッション性に富んだ各種材料や素材を用いることが可能である。
【００２５】
図１、図３で示すように、本実施形態では、前身頃１０と後見頃２０は、それぞれ重なりあって、前後で整合するように同じ形状をしている。前身頃１０は及び後見頃２０は、上方（首側）から下方（バスト部Ｃ）に向かって裾広がり部１１，２１を有するものである。
なお、以下で、「裾広がり部」とは上方側より下方側の方が広い状態の部分をいい、図１のように肩幅Ａより、巾Ｂが裾に向かって広いものを全て含むものであり、バスト部Ｃとは前身頃１０及び後見頃２０とで形成される空間領域をいうものとする。
【００２６】
本実施形態の好ましい例では、肩幅Ａを７２ｃｍ、裾広がり部のバスト部Ｃを肩幅Ａの２倍より大きい１５３ｃｍ、着丈Ｄを６４．５ｃｍ、襟部の開口である天巾Ｅを２７ｃｍとしている。いずれにしても、裾広がり部のバスト部Ｃを肩幅Ａの２倍以上にすることが好ましい（つまり図１のＣは２Ａ以上）。
【００２７】
本実施形態では、前身頃１０と後見頃２０は、肩幅Ａのうち襟部３０を除いた肩部に相当する部分を縫合によって接合した接続部Ｈを有している。より具体的には、本実施形態の接続部Ｈは、図１，３で示すように、着用時に、前身頃１０及び後見頃２０の肩幅Ａのうち上部である天巾Ｅを除いた襟部３０から着用者の二の腕の間となる範囲である両側を縫合して、襟部３０を介して左右に形成されている。
【００２８】
上記、接続部Ｈから前身頃１０と後見頃２０の各裾広がり部１１，２１側には、前身頃１０と後見頃２０の各裾広がり部１１，２１側の端部側にそれぞれ形成された結ぶことが可能な結び部を構成するときに利用される端部１１ａ，２１ａが形成されている。そして端部１１ａ，２１ａと裾部１２，２２が形成されており、左右の非接続部ＮＨの間で、前身頃１０と後見頃２０の下部（前身頃１０と後見頃２０の下部側の側方）には、裾部１２，２２が形成されている。
上記接続部Ｈを除いた裾広がり部１１，２１は、上記端部１１ａ，２１ａ及び裾部１２，２２を含めて、縫合又は接合されない非接続部ＮＨとしてそれぞれ形成されている。
【００２９】
また、図１、図３で示すように、上記裾部１２，２２のそれぞれの外側位置には、第１連結部１４と第２連結部２４とが形成されている。つまり、本実施形態では前身頃１０の裾部１２には第１連結部１４としてのボタンホールが形成され、後見頃２０の裾部２２には第２連結部２４としてのボタンが形成されている。第１連結部１４と第２連結部２４を連結することにより、バスト部Ｃの胴回りを抑えることになり、裾広がり部のバスト部Ｃを肩幅Ａの２倍以上としても、バスト部或いは胴部分のラインを膨らませずにファッション性に富んだものとすることが可能となる。
【００３０】
なお第１連結部１４をボタンとし、第２連結部２４をボタンホールとしてもよい。ボタン及びボタンホールは、常時露見しているために、意匠性を考慮して、くるみボタンなどの装飾されたもの、玉縁ボタンホールなど飾りボタンホールなどで装飾されたものなどを用いることができる。
また、上記第１連結部１４と第２連結部２４は、ボタンホールとボタンとで形成された例で説明しているが、ボタンとボタンホールに限らず、これらは一対のホックまたは一対の面状ファスナーなどの着脱可能な取付具であれば、特に限定されない。
【００３１】
本実施形態の襟部３０は、前身頃１０の上部と後見頃２０の上部との間で環状に形成されている。前身頃１０側の襟部３０の内側には、第１襟連結部３１が形成されている。より具体的には、前身頃１０側の襟部３０は二重になっており、内側に第１襟連結部３１として複数の隠しボタンホールが形成されている。なお、襟部３０の形状は環状に限らず、着用時に首の回りに所定の空間を確保できるように構成されるものであれば、楕円状、矩形状、Ｖ字状など各種の形状を採用することができるものである。
【００３２】
そして、図２で示すように、第１襟連結部３１である複数のボタンホールと連結する第２襟連結部５１を有する形状保持部材５０が着脱可能になっている。本例では、第２襟連結部５１としてのボタンを表面に有する形状保持部材５０としての帯状部材５２から構成されている。
【００３３】
より具体的には、本実施形態の形状保持部材５０は、第１襟連結部３１である複数の隠しボタンホールに連結される第２襟連結部５１であるボタンを備えた可撓した状態を保持可能な帯状部材５２からなるもので、帯状部材５２は折り曲げ時に折り曲げ状態を保持できる材質から構成されており、具体的にはワイヤーや合成樹脂を布地で被覆したものなどを用いることができる。
【００３４】
この帯状部材５２は、襟部３０の開口の内側距離の少なくとも１／３以上の長さを有するように構成されると、襟部３０の開口を十分に確保できるため、好適である。特に、デザイン性を追求して、襟部３０の開口が小さい場合には、１／３以下にすると、十分な開口を確保できず、乳児が窮屈に感じる可能性がある。
【００３５】
なお、本実施形態では第１襟連結部３１と第２襟連結部５１をボタンホールと、ボタンで形成した例を示しているが、ボタンとボタンホールに限らず、ファッション性や着脱の容易性を考慮して、一対のホックまたは一対の面状ファスナーなどの着脱可能な接続手段であれば、特に限定されない。特に、一対のホックまたは一対の面状ファスナーなどによれば、ボタンとボタンホールよりは、乳児を抱きかかえながらでも、容易に着脱が行える。
【００３６】
次に、上記構成からなる授乳機能を備えた衣服の使用例について説明する。
先ず、通常着用するときには、図４（ａ）（ｂ）で示すように、前身頃１０と後見頃２０の各裾広がり部１１，２１側の端部１１ａ，２１ａをつまんで、それぞれ結んで結び部４０を作る（この例では二度結びの例である）。このとき、結び部４０はリボンのようにすると好適である。
そして、襟部３０の開口から、かぶるようにして、着用するが、非接続部ＮＨと結び部４０との間に、着用時の着用者の腕を通すことのできる腕通し部６０が形成されているので、この腕通し部６０から腕を通すようにする。
【００３７】
このように、前身頃１０と後見頃２０の各裾広がり部１１，２１側の端部側には結び部４０が形成されており、これにより着用者の腕が、結び部４０とそれより上方位置、つまり、接続部Ｈと結び部４０との間から腕を出すことができ、結び部４０をデザインとして、愛らしいデザインとすることが可能となる。
【００３８】
次に、図４（ｃ）（ｄ）で示すように、前身頃１０の裾部１２には第１連結部１４としてのボタンホールが形成され、後見頃２０の裾部２２には第２連結部２４としてのボタンが形成されているので、第２連結部（ボタン）２４を第１連結部（ボタンホール）１４に取り付ける。このように、第１連結部１４と第２連結部２４によって、胴の両側を規制することで、ファッション性に富んだ、通常の衣服と何ら変わらないデザインとすることが可能で、衣服として通常のファッション性のあるお洒落なデザインとすることができる。
【００３９】
図５は、上記のようにして形成した通常使用時の衣服の正面図であり、図６は通常使用時における着用した状態を示すものである。図５及び図６で示すように、結び部４０をデザインとして、愛らしいデザインとし、バスト部Ｃの胴回りを抑え、裾広がり部のバスト部Ｃを肩幅Ａの２倍以上としても、バスト部或いは胴部分のラインを膨らませず、ファッション性に富んだものとすることが可能となる。
【００４０】
次に、授乳する場合に着用するときは、形状保持部材５０を襟部３０に取り付ける。この取り付は着用しているときには、図７で示すように、襟部３０の内側に着用したままで、取り付けることが可能である。一方、着用していない場合には、図９で示すように取り付ける。このようにすると、襟部３０がだれることなく大きく開口させて形状を保持でき、乳児を衣服の中に入れても窮屈ではなく、可撓状態を調整することで、上方からの露見も防ぐことが可能で、授乳状態を隠すことができ、人前や公共の場所での授乳を行うことが可能となる。
本実施形態では着用したままで、意外と気になる後ろからの視線も、従来のような紐で縛ったり、止めなくても背中までしっかり覆って授乳するため、３６０°の視線をカバーして肌の外観露出を防止できる。
【００４１】
また、図８で示すように、前身頃１０と後見頃２０の下部側の側方に形成された第１連結部１４と第２連結部２４を解き、結び部４０を解く（不図示）ことによって、衣服１の側方及び下方が解放され、図１０で示すように、衣服から乳房や乳首を露出させず、より授乳時において窮屈ではない状態を形成できる。このため衣服で隠され外部に肌が露出せず、授乳状態を隠すことができ、人前や公共の場所での授乳を行うことが可能となる。
本実施形態では、かぶるタイプであるので、乳児がバタバタして、引っ張っても、ずれたり外れることの無い。
さらに襟部３０は形状保持部材５０を使用することにより、図１１で示すように、襟部３０からの開口を十分確保することが可能であると共に、可撓状態を調整することで、上方からの露見も防ぐことが可能となる。
【産業上の利用可能性】
【００４２】
本発明は、授乳服等に利用可能であり、特に外部に露見しない状態で快適な授乳を実現し、着用者が授乳時以外に通常の衣服として、重ね着などが不要であり、お洒落でデザイン性に富んだものとして、授乳に限らず通常の衣服としても愛らしい服装として被着したい場合等に有用である。
【符号の説明】
【００４３】
１  衣服
１０  前身頃
１１  裾広がり部
１１ａ  端部
１２  裾部
１４  第１連結部
２０  後見頃
２１  裾広がり部
２１ａ  端部
２２  裾部
２４  第２連結部
３０  襟部
３１  第１襟連結部
４０  結び部
５０  形状保持部材
５１  第２襟連結部
５２  帯状部材
６０  腕通し部
Ａ  肩幅
Ｂ  巾
Ｃ  バスト部
Ｄ  着丈
Ｅ  天巾
Ｈ  接続部
ＮＨ  非接続部
【図１】
2015190072.tif 000003
【図２】
2015190072.tif 000004
【図３】
2015190072.tif 000005
【図４】
2015190072.tif 000006
【図５】
2015190072.tif 000007
【図６】
2015190072.tif 000008
【図７】
2015190072.tif 000009
【図８】
2015190072.tif 000010
【図９】
2015190072.tif 000011
【図１０】
2015190072.tif 000012
【図１１】
2015190072.tif 000013